(57)【要約】  プラグコネクタのインシュレータ又はプラグ側固定金具が潰れ（破損し）難いプラグ側固定金具を有するプラグコネクタを提供する。  本発明のプラグコネクタ（１５）は、リセプタクルコネクタ（３５）に対して着脱可能であって、リセプタクルコネクタの嵌合凹部に嵌合可能な環状の環状凸部を構成する一対の長手方向壁及び一対の短手方向壁を有する外周壁を有するプラグインシュレータ、外周壁の長手方向壁に列状に支持され、環状凸部が嵌合凹部に嵌合したときにリセプタクルコンタクト群と接触する、プラグ側回路基板の回路パターンに接続されるプラグコンタクト群、及び短手方向壁に装着されるプラグ側固定金具とを備え、プラグ側固定金具は、短手方向壁の端面に沿う受け面、受け面から曲折された短手方向壁の内外面に沿う短手方向外方壁と短手方向内方壁、及び受け面から曲折された長手方向壁の両外面に沿う一対の長手方向外方壁を有している。
2017022171.tif 000002
【特許請求の範囲】
【請求項１】
内周側に嵌合凹部を形成する環状の外周壁を有する樹脂製のリセプタクルインシュレータ及びリセ側回路基板の回路パターンに対して実装可能でありかつ上記リセプタクルインシュレータに支持した弾性変形可能なリセプタクルコンタクト群を有するリセプタクルコネクタに対して着脱可能なプラグコネクタであって、
上記嵌合凹部に嵌合可能な環状の環状凸部を構成する一対の長手方向壁及び一対の短手方向壁を有する外周壁を有するプラグインシュレータ、上記外周壁の長手方向壁に列状に支持され、上記環状凸部が上記嵌合凹部に嵌合したときに上記リセプタクルコンタクト群と接触する、プラグ側回路基板の回路パターンに接続されるプラグコンタクト群、及び上記短手方向壁に装着されるプラグ側固定金具とを備え、
上記プラグ側固定金具は、上記短手方向壁の端面に沿う受け面、上記受け面から曲折された上記短手方向壁の内外面に沿う短手方向外方壁と短手方向内方壁、及び上記受け面から曲折された上記長手方向壁の両外面に沿う一対の長手方向外方壁を有すること、
を特徴とするプラグコネクタ。
【請求項２】
請求項１記載のプラグコネクタにおいて、
上記プラグ側固定金具の一対の長手方向外方壁は、上記長手方向壁に沿う長さ方向の長さが上記短手方向外方壁と上記短手方向内方壁との間の上記長さ方向の長さ内に収まっているプラグコネクタ。
【請求項３】
請求項１または２記載のプラグコネクタにおいて、
上記プラグ側固定金具は、上記短手方向外方壁と短手方向内方壁のいずれか一方が、プラグインシュレータの短手方向壁の長さ方向の中央を挟む一対の分割壁を有しているプラグコネクタ。
【請求項４】
請求項１ないし３のいずれか１項記載のプラグコネクタにおいて、
上記プラグ側固定金具は、上記短手方向外方壁が、プラグインシュレータの短手方向壁の長さ方向の中央を挟む一対の分割壁を有しているプラグコネクタ。
【請求項５】
請求項４記載のプラグコネクタにおいて、
上記プラグインシュレータは、上記短手方向壁に、上記一対の分割壁が嵌合される一対の金具取付溝を有するプラグコネクタ。
【請求項６】
請求項１ないし５のいずれか１項記載のプラグコネクタにおいて、
上記短手方向外方壁と短手方向内方壁の少なくとも一方、及び上記一対の長手方向外方壁は、上記受け面から曲折された後、直線的に延びて先端部が上記プラグ側回路基板に接触するプラグコネクタ。
【請求項７】
請求項１ないし６のいずれか１項記載のプラグコネクタにおいて、
上記短手方向内方壁は、上記プラグインシュレータの天井板部に設けられた有底孔に挿入されているプラグコネクタ。
【請求項８】
請求項１ないし６のいずれか１項記載のプラグコネクタにおいて、
上記短手方向内方壁は、上記プラグインシュレータの天井板部に設けられた貫通孔に挿入されてプラグ回路基板に接触するプラグコネクタ。
【請求項９】
請求項７または８記載のプラグコネクタにおいて、
上記短手方向内方壁は、幅狭部を有するプラグコネクタ。
【請求項１０】
請求項９記載のプラグコネクタにおいて、
上記短手方向内方壁の幅狭部は、プラグ回路基板に対して実装される上記一対の長手方向外方壁の金めっき部分より上記受け面側に設けられるはんだ這い上がり防止部の高さ位置に対応しているプラグコネクタ。
【請求項１１】
請求項１ないし１０のいずれか１項記載のプラグコネクタにおいて、
上記プラグインシュレータには、上記短手方向外方壁、短手方向内方壁、及び一対の長手方向外方壁が嵌まる溝が形成されているプラグコネクタ。
【発明の詳細な説明】
【関連出願の相互参照】
【０００１】
本出願は、２０１５年８月５日に日本国に特許出願された特願２０１５−１５４８６３の優先権を主張するものであり、これら先の出願の開示全体をここに参照のために取り込む。
【技術分野】
【０００２】
本発明は、一般的に基板間の接続に用いられるコネクタに関し、特にリセプタクルコネクタに対して着脱可能なプラグコネクタに関する。
【背景技術】
【０００３】
デスクトップ型ＰＣ（パーソナルコンピュータ）、ノート型ＰＣ、スマートフォン等の携帯端末、又は、タブレット型ＰＣ等の電子機器又は電気機器は、一般的に、電子部品を実装した回路基板と、別の電子部品を実装した別の回路基板とを内蔵している。【０００４】
特許文献１に記載のコネクタは、これら二つの回路基板どうしを接続するためのコネクタであり、回路基板（リジッド基板）に実装したリセプタクルコネクタと、別の回路基板（リジッド基板）に実装したプラグコネクタと、を具備している。リセプタクルコネクタは、リセプタクルインシュレータと、複数のリセプタクルコンタクトと、一対のリセ側固定金具と、を備えている。リセプタクルインシュレータは、環状の外周壁と、外周壁の内側に形成した環状の嵌合凹部と、を備える。複数のリセプタクルコンタクトは、リセプタクルコネクタの長手方向に並んだ状態でリセプタクルインシュレータに支持されている。一対のリセ側固定金具は、リセプタクルインシュレータに対して固定されている。【０００５】
一方、プラグコネクタは、プラグインシュレータと、複数のプラグコンタクトと、一対のプラグ側固定金具と、を備えている。プラグインシュレータは、上記嵌合凹部に嵌合可能な環状壁によって形成された環状凸部を備えている。各プラグコンタクトは、回路基板の実装面の回路パターンに接続可能である。プラグ側固定金具は、当該実装面に形成した導通検知パターンに接続可能である。【０００６】
リセプタクルコネクタの嵌合凹部に対してプラグコネクタの環状凸部を嵌合（接続）すると、各プラグコンタクトが各リセプタクルコンタクトに対してそれぞれ接触する。従って、リセプタクルコネクタ側の回路基板に実装した電子部品とプラグコネクタ側の回路基板に実装した電子部品とが互いに電気的に導通する。【０００７】
各プラグコンタクトの表面に凹設された凹部が各リセプタクルコンタクトに突設された凸部に対して係合すると、プラグ側固定金具がリセ側固定金具の弾性接触片に対して接触する。その結果、リセプタクルコネクタ側の回路基板の導通検知パターンとプラグコネクタ側の回路基板の導通検知パターンとが互いに導通する。従って、リセプタクルコンタクトとプラグコンタクトとが接続していること（リセプタクルコネクタ側の回路基板の回路パターンとプラグコネクタ側の回路基板の回路パターンとが互いに導通していること）を認識可能となる。
【先行技術文献】
【特許文献】
【０００８】
【特許文献１】特開２０１３−２０６７７１号公報
【発明の概要】
【発明が解決しようとする課題】
【０００９】
特許文献１に記載のコネクタでは、プラグインシュレータの環状壁（環状凸部）は、左右方向の両端部に位置する短手方向壁（左壁と右壁）と、この短手方向壁の両端部を接続する左右方向に長い一対の長手方向壁（前壁と後壁）とを有し、短手方向壁にプラグ側固定金具が固定されている。特にプラグインシュレータの環状凸部は、リセプタクルコネクタの嵌合凹部に挿入されるため、リセプタクルコネクタに比して小型である。一層の小型化を求められている基板間接続用コネクタでは、より小型であるプラグコネクタのプラグ側固定金具及びプラグインシュレータの環状壁が小さく薄くなっている。従って、プラグ側固定金具又は環状壁が破損（潰れ）するおそれが顕著になりつつある。【００１０】
本発明の目的は、プラグコネクタのインシュレータ又はプラグ側固定金具が潰れ（破損し）難いプラグ側固定金具を有するプラグコネクタを提供することにある。
【課題を解決するための手段】
【００１１】
本発明のプラグコネクタは、内周側に嵌合凹部を形成する環状の外周壁を有する樹脂製のリセプタクルインシュレータ及びリセ側回路基板の回路パターンに対して実装可能でありかつ上記リセプタクルインシュレータに支持した弾性変形可能なリセプタクルコンタクト群を有するリセプタクルコネクタに対して着脱可能なプラグコネクタであって、上記嵌合凹部に嵌合可能な環状の環状凸部を構成する一対の長手方向壁及び一対の短手方向壁を有する外周壁を有するプラグインシュレータ、上記外周壁の長手方向壁に列状に支持され、上記環状凸部が上記嵌合凹部に嵌合したときに上記リセプタクルコンタクト群と接触する、プラグ側回路基板の回路パターンに接続されるプラグコンタクト群、及び上記短手方向壁に装着されるプラグ側固定金具とを備え、上記プラグ側固定金具は、上記短手方向壁の端面に沿う受け面、上記受け面から曲折された上記短手方向壁の内外面に沿う短手方向外方壁と短手方向内方壁、及び上記受け面から曲折された上記長手方向壁の両外面に沿う一対の長手方向外方壁を有すること、を特徴としている。【００１２】
上記プラグ側固定金具の一対の長手方向外方壁は、上記長手方向壁に沿う長さ方向の長さが上記短手方向外方壁と上記短手方向内方壁との間の上記長さ方向の長さ内に収まっていることが望ましい。【００１３】
上記プラグ側固定金具は、上記短手方向外方壁と短手方向内方壁のいずれか一方が、プラグインシュレータの短手方向壁の長さ方向の中央を挟む一対の分割壁を有することができる。
上記プラグ側固定金具は、上記短手方向外方壁が、プラグインシュレータの短手方向壁の長さ方向の中央を挟む一対の分割壁を有することが実際的である。
上記プラグインシュレータは、上記短手方向壁に、上記一対の分割壁が嵌合される一対の金具取付溝を有する。【００１４】
上記短手方向外方壁と短手方向内方壁の少なくとも一方、及び上記一対の長手方向外方壁は、上記受け面から曲折された後、直線的に延びて先端部が上記プラグ側回路基板に接触することが望ましい。【００１５】
記短手方向内方壁は、上記プラグインシュレータの天井板部に設けられた有底孔に挿入できる。
上記短手方向内方壁は、上記プラグインシュレータの天井板部に設けられた貫通孔に挿入されてプラグ回路基板に接触するように設けられる。【００１６】
上記短手方向内方壁は、幅狭部を有することができる。
上記短手方向内方壁の幅狭部は、プラグ回路基板に対して実装される上記一対の長手方向外方壁の金めっき部分より上記受け面側に設けられるはんだ這い上がり防止部の高さ位置に対応していることが好ましい。【００１７】
本発明のプラグコネクタは、上記プラグインシュレータに、上記短手方向外方壁、短手方向内方壁、及び一対の長手方向外方壁が嵌まる溝を有することが実際的である。
【発明の効果】
【００１８】
本発明のプラグコネクタは、プラグ側固定金具がプラグインシュレータの短手方向壁を十分補強できるので、プラグインシュレータが破壊されるおそれが少ない。
【図面の簡単な説明】
【００１９】
【図１】本発明の一実施形態のプラグコネクタを上方から見た分解斜視図である。
【図２】プラグコネクタを下方から見た分解斜視図である。
【図３】プラグコネクタを上方から見た斜視図である。
【図４】プラグコネクタを下方から見た斜視図である。
【図５】リセプタクルコネクタに対してプラグコネクタを接近させた状態を下方から見た斜視図である。
【図６】リセプタクルコネクタとプラグコネクタとが完全に接続した状態を上方から見た斜視図である。
【図７】リセプタクルコネクタとプラグコネクタとが完全に接続した状態を下方から見た斜視図である。
【図８】（ａ）はリセプタクルコネクタとプラグコネクタとが完全に接続した状態の平面（上面）図、（ｂ）は正面図である。
【図９】（ａ）は図８（ｂ）のIXａ−IXａ矢線に沿う断面図、（ｂ）は図８（ｂ）のIXｂ−IXｂ矢線に沿う断面図である。
【図１０】（ａ）はプラグコネクタの正面図、（ｂ）は平面（下面）図である。
【図１１】（ａ）は図１０（ａ）のXIａ−XIａ矢線に沿う断面図、（ｂ）は図１０（ａ）のXIｂ−XIｂ矢線に沿う断面図である。
【図１２】プラグコネクタの側面図である。
【図１３】（ａ）は図１２のXIIIａ−XIIIａ矢線に沿う断面図、（ｂ）は図１２のXIIIｂ−XIIIｂ矢線に沿う断面図である。
【図１４】（ａ）はプラグ側固定金具の拡大斜視図、（ｂ）は見る方向を変えたプラグ側固定金具の拡大斜視図である。
【発明を実施するための形態】
【００２０】
以下、添付図面を参照しながら本発明の一実施形態について説明する。なお、以下の説明中の前後、左右、及び上下の方向は、図中の矢印方向を基準としている。
【００２１】
本実施形態のコネクタ１０は、プラグコネクタ１５とリセプタクルコネクタ３５とを具備している（図５−図７）。
【００２２】
プラグコネクタ１５は、主に図１−図５、図１０（ａ）、（ｂ）に示すように、大きな構成要素としてプラグインシュレータ１６と、多数のプラグコンタクト（群）２５と、２つのプラグ側固定金具２８と、を具備している。
【００２３】
プラグインシュレータ１６は、絶縁性かつ耐熱性の合成樹脂料からなる左右方向に延びる棒状部材である。プラグインシュレータ１６は、上端部を構成する天井板部１７と、天井板部１７の下面の周縁部全体から下方に突出する環状壁２０からなる環状凸部１８と、を具備している。
環状壁２０は、左右方向の両端部に位置する短手方向壁（左壁と右壁）２０ａと、この短手方向壁２０ａの両端部を接続する左右方向に長い一対の長手方向壁（前壁と後壁）２０ｂと、を有する。短手方向壁２０ａの長さ方向の中間部分には、プラグインシュレータ１６を左右方向の中間部分から溶融材料を注入して射出成形する際に、ウェルドラインＷＬ（図１、図２）が生じやすい。
【００２４】
天井板部１７と環状壁２０とによって形成された空間は係合凹部１９を構成している（図２、図４、図１３等）。環状壁２０の前後の長手方向壁２０ｂには、前後両面及び下面に跨る断面略Ｕ字形のコンタクト取付溝２１が左右方向に並べて多数凹設してある（図１、図２等）。
【００２５】
各プラグコンタクト２５は、ばね弾性を備えた銅合金（例えばリン青銅、ベリリウム銅、チタン銅、コルソン銅）の薄板を図示形状となるようにスタンピング成形したものである。各プラグコンタクト２５の表面には、金又は錫などによってめっきが施されている。プラグコンタクト２５は、断面略Ｕ字形をなす本体部の内側部分を構成する上下方向に延びる内側接触片２６ａと、本体部の外側部分を構成する上下方向に延びる外側接触片２６ｂと、外側接触片２６ｂの上端から略水平に延びるテール片２７と、を有している。さらに外側接触片２６ｂの表面の下端近傍には第一プラグ側突起２６ｂ１（プラグ側突起）が突設されており、内側接触片２６ａの表面の下端近傍には第二プラグ側突起２６ａ１（プラグ側突起）が突設されている（図１、図２、図９（ａ）等）。図９（ａ）、図１１（ａ）等に示すように第二プラグ側突起２６ａ１は第一プラグ側突起２６ｂ１よりも下方に位置している。プラグコンタクト２５は、テール片２７を除く部分がコンタクト取付溝２１に対して固定状態で圧入されている（図１１（ａ）参照）。内側接触片２６ａ及び外側接触片２６ｂの左右両側面には係止突起が突設されており、これらの係止突起がコンタクト取付溝２１の内面に食い込んでいる。各プラグコンタクト２５のテール片２７の上端部は天井板部１７の上端面より僅かに上方に突出している（図４参照）。
【００２６】
図１４に詳細単体形状を示すプラグ側固定金具２８は、金属板を図示形状にプレス成形したものである。プラグ側固定金具２８の材料としては、例えばプラグコンタクト２５と同等の銅合金（例えばリン青銅、ベリリウム銅、チタン銅、コルソン銅）の薄板が使用される。
【００２７】
プラグ側固定金具２８は、短手方向壁２０ａの下面（端面）に沿う平板状の受け面２９と、この受け面２９から曲折された短手方向壁２０ａの内外面に沿う短手方向内方壁３０及び短手方向外方壁３１と、受け面２９から曲折された長手方向壁２０ｂの両外面に沿う一対の長手方向外方壁３２、３３と、を有する。一対の長手方向外方壁３２と３３とは同一（または対称）形状である。一対の長手方向外方壁３２、３３の長手方向壁２０ｂに沿う長さ方向の長さは、受け面２９の幅方向（長手方向壁２０ｂの長さ方向）の長さ内（短手方向外方壁３１と短手方向内方壁３０との間）に収まっている（受け面２９より左右方向に突出していない）。
短手方向外方壁３１は、受け面２９側から順に、接続壁部３１ｂと、接続壁部３１ｂから二股に分かれ且つ前後方向に離間した一対の分割壁部３１ａとを有する（接続壁部３１ｂを介して受け面２９と一対の分割壁部３１ａとが接続されている）。一対の分割壁部３１ａは、プラグコネクタ１５（プラグインシュレータ１６）に取り付けられたときにウェルドラインＷＬを挟んで対称形状となるような同一（対称）形状を有している。
短手方向内方壁３０は、受け面２９側から順に、幅広部３０ａと、幅広部３０ａの両側を縮めた縮幅部３０ｂと、幅広脚部３０ｃとを有する。
【００２８】
短手方向外方壁３１（一対の分割壁部３１ａ）と長手方向外方壁３２、３３とは、受け面２９から曲折された後、直線的（平面状、ストレート）に延びて、上端部（先端部）は、プラグコネクタ１５が実装される基板（プラグ側回路基板）に至る（接触する）。したがってプラグ側固定金具２８は、受け面２９が受けた力をプラグ側回路基板との間で、受け面２９から直線的に延びた短手方向外方壁３１と長手方向外方壁３２、３３とによって支えるので、耐荷重性が向上する。
プラグ側固定金具２８の一対の長手方向外方壁３２、３３は、同一または対称形状である。長手方向外方壁３２、３３の長手方向壁２０ｂに沿う長さ方向の長さ（幅）が受け面２９の同長さ方向の長さ（幅）内に収まっている。従って、受け面２９の変形又は潰れが抑止される。
【００２９】
短手方向外方壁３１（分割壁部３１ａ）の上端部（先端部）には、金めっき部３１ｘが施されている。長手方向外方壁３２、３３には、上方から順に、金めっき部３２ｘ、３３ｘ、はんだ這い上がり防止部（禁制帯）３２ｙ、３３ｙ、及び金めっき部３２ｚ、３３ｚが形成されている。はんだ這い上がり防止部３２ｙ、３３ｙは、長手方向外方壁３２、３３の全体に金めっきを一旦施した後に、レーザ光を照射して金めっきを除去することで、下地（例えばＮｉ下地）を露出させたものである。一対の長手方向外方壁３２、３３には、金めっき部３２ｚ、３３ｚの外面一部に導通突起３２ｂ、３３ｂが形成されている。
【００３０】
金めっき部３２ｚ、３３ｚは、プラグコネクタ１５とリセプタクルコネクタ３５とが完全に接続されたときに、リセ側固定金具５０と接触して導通する導通部である。プラグ側固定金具２８とリセ側固定金具５０とは、高電流を要する機器に対する導電経路として使用されることがある。
【００３１】
短手方向内方壁３０の縮幅部３０ｂは、長手方向外方壁３２、３３の内面にレーザ光の照射を可能にし、内面の金めっきを除去してはんだ這い上がり防止部３２ｙ、３３ｙを現出させる。すなわち、この縮幅部３０ｂは、プラグコネクタ１５がプラグ回路基板に対して実装されたときに上記一対の長手方向外方壁３２、３３の金めっき部３２ｘ、３３ｘより上記受け面２９側に形成するはんだ這い上がり防止部３２ｙ、３３ｙの高さ位置に対応している。
【００３２】
環状壁２０の左右の短手方向壁２０ａには、一対の分割壁部３１ａが嵌まる前後一対の金具取付溝２２ａが凹設されている（図１、図２、図１２、図１３（ｂ）等参照）。前後の長手方向壁２０ｂの左右の短手方向壁２０ａ近傍部（短手方向壁２０ａの前後端面）には、長手方向外方壁３２、３３が嵌る金具取付溝２２ｂが凹設されている（図１、図２、図１１（ｂ）等参照）。天井板部１７には幅広脚部３０ｃが嵌まる有底孔１７ａ（図１３（ａ）参照）が形成されている。前後一対の金具取付溝２２ａは、短手方向壁２０ａの中間部分の両側に形成されていて、通常の成形状態で生じる可能性のあるウェルドラインＷＬを挟んで両側に位置する。有底孔１７ａは、貫通孔とし、幅広脚部３０ｃがプラグ回路基板に当接するように構成してもよい。以上の幅広脚部３０ｃと有底孔１７ａとは、短手方向内方壁３０を位置決めする作用をもたらし、又は、プラグコネクタ１５をリセプタクルコネクタ３５に挿脱する際に短手方向内方壁３０の擦れ若しくは変形を抑止することができる。
【００３３】
受け面２９から延びた短手方向内方壁３０と短手方向外方壁３１（の一対の分割壁部３１ａ）とは、プラグインシュレータ１６の環状壁２０の短手方向壁２０ａを内外から挟持する。同受け面２９から延びた長手方向外方壁３２、３３は、短手方向壁２０ａの延長方向と同一位置において、長手方向壁２０ｂの両外面（前後方向の外面）を挟持する。これにより、受け面２９が変形し難く、プラグインシュレータ１６（天井板部１７、短手方向壁２０ａ）が潰（破壊）されるのを防止する。
【００３４】
また、短手方向外方壁３１の一対の分割壁部３１ａは、一対の金具取付溝２２ａに嵌合固定された状態においてウェルドラインＷＬを挟んで両側に位置し、短手方向壁２０ａがウェルドラインＷＬから前後に離間する（破損する）のを防止する。すなわち、短手方向壁２０ａにウェルドラインＷＬが形成されたとしても、一対の分割壁部３１ａは、短手方向壁２０ａの左右外側面に形成された金具取付溝２２ａに嵌まり、長手方向外方壁３２、３３は前後の長手方向壁２０ｂの前後外側面に形成された金具取付溝２２ｂに嵌まる。これにより、ウェルドラインＷＬは前後から挟圧され、ウェルドラインＷＬからプラグインシュレータ１６（天井板部１７、短手方向壁２０ａ）が破壊されるのを防止する。
【００３５】
以上のプラグコネクタ１５は、回路基板（図示しないリジッド基板、プラグ側回路基板等）の一方の面に形成した実装面に実装される。具体的には、各プラグコンタクト２５のテール片２７がプラグ回路基板の実装面（下面）に形成された回路パターン（図示略）に対してはんだ付け（リフローはんだ付け）される。各プラグ側固定金具２８の分割壁部３１ａ、長手方向外方壁３２、３３の先端部の金めっき部３１ｘ、３２ｘ、３３ｘが当該実装面に形成された導通パターン（図示略）に対してはんだ付け（リフローはんだ付け）される。回路基板の実装面にはプラグコネクタ１５とは別の電子部品（例えば高機能用モジュール、半導体、又は大容量メモリ等）が実装されている。
【００３６】
続いてリセプタクルコネクタ３５の詳しい構造について主に図５−図９を参照しながら説明する。
リセプタクルコネクタ３５は大きな構成要素としてリセプタクルインシュレータ４０と、一対のリセ側固定金具５０と、プラグコンタクト２５と同数のリセプタクルコンタクト（群）６０と、を具備している。
【００３７】
絶縁性かつ耐熱性の合成樹脂料からなるリセプタクルインシュレータ４０は、図５−図９等に示した左右方向に延びた棒状部材である。リセプタクルインシュレータ４０は、下部を構成する底板部４１と、底板部４１の上面の周縁部全体から上方に突出する平面視矩形の環状壁からなる外周壁４２と、底板部４１の上面前後方向の中央部から上方に突出し、中央部で左右方向に延びた係合凸部４３と、を具備している（図９（ａ）参照）。外周壁４２は、左右一対の短手方向壁４２ａと、左右一対の短手方向壁４２ａの前後両端同士を接続する前後一対の長手方向壁４２ｂと、を備えている。係合凸部４３は、外周壁４２（短手方向壁４２ａ及び長手方向壁４２ｂ）の間に所定の間隔を空けて形成される。外周壁４２と係合凸部４３との間には、環状の嵌合凹部４４が形成される。
【００３８】
外周壁４２の左右の短手方向壁４２ａの外周面には金具固定溝４５ａが凹設される。前後の長手方向壁４２ｂの外周面の左右両端部には、金具固定溝４５ｂがそれぞれ凹設されている。さらに前後の長手方向壁４２ｂの左右両端部の内周面には左右一対の収納溝４５ｃが凹設されている。
【００３９】
外周壁４２の前後の長手方向壁４２ｂの内周面には上下方向に延びるコンタクト取付溝４６が底板部４１を貫通して、左右方向に並べて多数（プラグコンタクト２５と同数）形成されている（図５、図７、図９（ａ）等参照）。さらに前後の長手方向壁４２ｂと係合凸部４３との間に位置する底板部４１及び係合凸部４３の前後面には、対応するコンタクト取付溝４６と連続する変形許容溝４７が底板部４１を貫通して形成されている（図９（ａ）参照）。底板部４１の前後縁部（前後の長手方向壁４２ｂの下端部との結合部）には、各コンタクト取付溝４６及び変形許容溝４７と連続するテール収容溝４８が凹設されている（図９（ａ）参照）。
【００４０】
左右一対のリセ側固定金具５０は前後対称な形状である。各リセ側固定金具５０は、プラグ側固定金具２８と同様に金属板をプレス成形したものであり、その表面の所定部分には金又は錫などによってめっきが施してある。リセ側固定金具５０は、前後方向に延びた短手側固定部５１と、短手側固定部５１の両端部から左右方向に延びた長手側固定部５２と、短手側固定部５１及び長手側固定部５２の外周縁部からそれぞれ略下向きに延びた短手側テール片５３及び長手側テール片５４と、長手側固定部５２の内周縁部から斜め下向きに延びた金具側弾性変形部５５と、短手側固定部５１の内周縁部から略下向きに延びた金具側弾性変形部５７と、を具備している（図６参照）。金具側弾性変形部５５の下端近傍は屈曲しており、当該下端近傍には、プラグ側固定金具２８の導通突起３２ｂ、３３ｂに対応する導通凹部５５ａが形成されている（図９（ｂ）参照）。金具側弾性変形部５７の下端近傍は屈曲しており、当該下端近傍には突出接触部（図示せず）が形成されている。さらに金具側弾性変形部５５と５７とは、略前後方向と略左右方向（環状凸部１８の嵌合凹部４４に対する嵌合方向に対して直交する直交方向）とに弾性変形可能である。
【００４１】
左右のリセ側固定金具５０は、短手側固定部５１を左右の短手方向壁４２ａの上面に被せかつ長手側固定部５２を長手方向壁４２ｂの端部に被せながら、短手側テール片５３を金具固定溝４５ａに固定状態で圧入しかつ左右の長手側テール片５４を左右の金具固定溝４５ｂに固定状態で圧入することにより、リセプタクルインシュレータ４０に固定されている。
このようにして左右のリセ側固定金具５０をリセプタクルインシュレータ４０に固定すると、各リセ側固定金具５０の左右の金具側弾性変形部５５、５７が対応する収納溝４５ｃ内に位置しかつ収納溝４５ｃの内面から離間する（図９（ｂ）参照）。そのため各金具側弾性変形部５５は前後方向に、各金具側弾性変形部５７は左右方向に弾性変形可能である。
さらにリセ側固定金具５０の短手側テール片５３及び長手側テール片５４の下端部は、リセプタクルインシュレータ４０の下面より僅かに下方に突出している。
【００４２】
各リセプタクルコンタクト６０はプラグコンタクト２５と同様の要領によって成形したものである。各リセプタクルコンタクト６０は、回路基板の実装面に実装されるテール片６１と、テール片６１の内側端部から上方に延びる固定片６２と、固定片６２の上端部に連続する略Ｓ字形の弾性接触片６３と、を具備している。弾性接触片６３は、固定片６２の上端部から下方に延びる垂下部６４と、垂下部６４の下端部から略水平に延びる延長部６５と、延長部６５の内側端部から略上方に延びる立上り部６６と、を有している（図５−図８、図９（ａ）等を参照）。さらに垂下部６４の表面の上端部には第一リセ側突起６４ａ（リセ側突起）が立上り部６６側に向けて突設されている。立上り部６６の表面の上端近傍には第二リセ側突起６６ａ（リセ側突起）が垂下部６４側に向けて突設されている。図９（ａ）等に示すように第二リセ側突起６６ａは第一リセ側突起６４ａよりも下方に位置している。またリセプタクルコンタクト６０（弾性接触片６３）が自由状態にあるときの第一リセ側突起６４ａと第二リセ側突起６６ａとの間の前後方向距離（対向距離）よりも、プラグコネクタ１５の第二プラグ側突起２６ａ１の先端と第一プラグ側突起２６ｂ１の先端との間の前後方向距離の方が長い。
【００４３】
各リセプタクルコンタクト６０は、リセプタクルインシュレータ４０の下方から各コンタクト取付溝４６及び各変形許容溝４７に対して挿入し、固定片６２をコンタクト取付溝４６に対して圧入（固定）することによりリセプタクルインシュレータ４０に取り付けてある。リセプタクルコンタクト６０（固定片６２）をリセプタクルインシュレータ４０（コンタクト取付溝４６）に固定すると、弾性接触片６３が変形許容溝４７の内面から離間する（図９（ａ）等を参照）。従って、弾性接触片６３は変形許容溝４７内において前後方向に弾性変形可能である。さらに各リセプタクルコンタクト６０のテール片６１が、底板部４１の下面の下方に位置する（図５−図９等を参照）。
【００４４】
以上のリセプタクルコネクタ３５は、回路基板（リジッド基板、リセ側回路基板）の実装面に形成された回路パターン（図示略）に対して各リセプタクルコンタクト６０のテール片６１をはんだ付けし、さらに当該実装面に形成された導通パターンに対して各リセ側固定金具５０の短手側テール片５３及び長手側テール片５４の下端部をはんだ付け（リフローはんだ付け）することにより、回路基板に対して導通固定（実装）される。回路基板の実装面にはリセプタクルコネクタ３５とは別の電子部品（例えば、ＣＰＵ、コントローラー、メモリ等）が実装してある。
【００４５】
以上構成のプラグコネクタ１５とリセプタクルコネクタ３５とは以下の要領で接続する。
まずは図５に示すように、作業者（図示略）が手でプラグコネクタ１５とリセプタクルコネクタ３５とを把持して（またはこれらが実装された回路基板を手で把持して）、プラグコネクタ１５とリセプタクルコネクタ３５とを互いの前後位置及び左右位置を一致させながら上下方向に対向させる（図５参照）。
そして、作業者は、プラグコネクタ１５を下方に移動させて（リセプタクルコネクタ３５に接近させて）環状凸部１８の環状壁２０を嵌合凹部４４に嵌合する。
【００４６】
プラグコネクタ１５及びリセプタクルコネクタ３５の小型化により、作業者は、目視により正確に対向させることが困難であるため、ずれが生じ易い。ずれが生じた状態でプラグコネクタ１５とリセプタクルコネクタ３５とを嵌合しようとするとき、プラグコネクタ１５及びリセプタクルコネクタ３５の左右両端部では、プラグ側固定金具２８及びリセ側固定金具５０の金属同士が接触する。プラグ側固定金具２８は、受け面２９と受け面２９から一体に屈曲形成された短手方向内方壁３０と短手方向外方壁３１と長手方向外方壁３２、３３とを有するので剛性が高く、潰れるおそれがない。さらにプラグ側固定金具２８は、受け面２９と、受け面２９と短手方向内方壁３０と短手方向外方壁３１と長手方向外方壁３２、３３との接続部分と、または短手方向内方壁３０と、短手方向外方壁３１と、長手方向外方壁３２、３３とがリセ側固定金具５０の金属部分と接触するので、短手方向壁２０ａがウェルドラインＷＬに起因して破損したり、潰れたりするおそれがない。しかも短手方向壁２０ａは、端面内外面がプラグ側固定金具２８の受け面２９と短手方向内方壁３０と短手方向外方壁３１と長手方向外方壁３２、３３とによって挟持されているので、リセ側固定金具５０によって削られるおそれがない。
【００４７】
さらにプラグコネクタ１５を下方へ移動させると（環状壁２０と嵌合凹部４４との嵌合を深めると）、プラグコネクタ１５の各プラグコンタクト２５の下端部がリセプタクルコネクタ３５の各リセプタクルコンタクト６０の垂下部６４及び立上り部６６の上端部に対して上方から接触する。
【００４８】
プラグコネクタ１５をさらに下方へ移動させると、プラグコネクタ１５の各プラグコンタクト２５の下端部が各リセプタクルコンタクト６０の垂下部６４と立上り部６６との間に進入し、垂下部６４と立上り部６６との間隔を押し広げるように弾性接触片６３を弾性変形させる。そうして各プラグコンタクト２５の第一プラグ側突起２６ｂ１が各リセプタクルコンタクト６０の垂下部６４の第一リセ側突起６４ａに対して側方から係合し、かつ、各プラグコンタクト２５の第二プラグ側突起２６ａ１が立上り部６６の第二リセ側突起６６ａに対して上方から係合する。するとプラグコンタクト２５及びリセプタクルコンタクト６０を介してプラグ側回路基板とリセ側回路基板とが電気的に導通可能になる。
この状態からプラグコネクタ１５をさらに下方へ移動させると、第一プラグ側突起２６ｂ１が第一リセ側突起６４ａを下方（環状凸部１８の嵌合凹部４４に対する嵌合方向）へ乗り越えて第一リセ側突起６４ａが外側接触片２６ｂの表面に接触し、第二プラグ側突起２６ａ１が立上り部６６の第二リセ側突起６６ａに対して側方から係合する。プラグコネクタ１５をさらに下方へ僅かに移動させると、各プラグコンタクト２５の第二プラグ側突起２６ａ１が立上り部６６の第二リセ側突起６６ａを下方へ乗り越えて、第二リセ側突起６６ａが内側接触片２６ａの表面に接触する。
このときプラグコネクタ１５のプラグ側固定金具２８は、リセプタクルコネクタ３５のリセ側固定金具５０（金具側弾性変形部５５、５７）に接触している。
【００４９】
プラグコネクタ１５をさらに下方へ移動させると、リセプタクルコンタクト６０の第二リセ側突起６６ａ及び第一リセ側突起６４ａに対してプラグコンタクト２５の内側接触片２６ａ及び外側接触片２６ｂが摺動し、プラグコネクタ１５とリセプタクルコネクタ３５とが完全に接続する。
【００５０】
プラグコネクタ１５とリセプタクルコネクタ３５とが完全に接続された後、または製品に搭載された状態で、振動を受けたり、落下したりして、短手方向壁２０ａが強い外力を受けることがある。短手方向壁２０ａは、ピッチ方向の外力に弱い。しかし本実施形態のプラグコネクタ１５は、短手方向壁２０ａがプラグ側固定金具２８の受け面２９と受け面２９から四方向に形成された短手方向内方壁３０、短手方向外方壁３１、及び長手方向外方壁３２、３３とによって覆われているので、外力により短手方向壁２０ａが潰される虞れが少ない。
【００５１】
以上のリセプタクルコンタクト６０及びプラグコンタクト２５の接続工程においては、同時に、プラグコネクタ１５のプラグ側固定金具２８とリセプタクルコネクタ３５のリセ側固定金具５０とが接触を開始する。接続完了状態では、プラグ側固定金具２８の長手方向外方壁３２、３３（金めっき部３２ｚ、３３ｚ）が対応する金具側弾性変形部５５を外側（前側の金具側弾性変形部５５は前側、後側の金具側弾性変形部５５は後側）に弾性変形させ、一対の分割壁部３１ａが対応する金具側弾性変形部５７を外側（左側の金具側弾性変形部５７は左側、右側の金具側弾性変形部５７は右側）に弾性変形させる（図９（ｂ））。その結果、前後の金具側弾性変形部５５、左右の金具側弾性変形部５７が互いに近づく方向の付勢力を発生しながらプラグコネクタ１５の前後両側と左右両側とを挟み込む。従って、この際に前後の金具側弾性変形部５５、左右の金具側弾性変形部５７が発生する付勢力は、プラグコネクタ１５をリセプタクルコネクタ３５から脱出させる方向の付勢力とはならない。そのため、意図的にプラグコネクタ１５をリセプタクルコネクタ３５に対して上方へ相対移動させない限りプラグコネクタ１５とリセプタクルコネクタ３５との完全接続状態が保持される。また、この接続完了状態では、プラグ側固定金具２８の長手方向外方壁３２、３３の導通突起３２ｂ、３３ｂが、リセ側固定金具５０の金具側弾性変形部５５の導通凹部５５ａに嵌合して、両固定金具の導通を確保し、かつ両者の抜けを防止する。
【００５２】
本実施形態のプラグコネクタ１５は、プラグインシュレータ１６の環状壁２０の左右の短手方向壁２０ａ（及び短手方向壁２０ａが接続された天井板部１７）が、プラグ側固定金具２８の受け面２９から延びた短手方向内方壁３０と短手方向外方壁３１の一対の分割壁部３１ａとにより内外から挟持され、短手方向壁２０ａの前後端部（付近の長手方向壁２０ｂの前後面）が長手方向外方壁３２、３３によって前後から挟持されているので、潰され（破壊等され）難い。
【００５３】
また、本実施形態のプラグコネクタ１５は、プラグインシュレータ１６を射出成形する際にウェルドラインＷＬが天井板部１７の左右両端部、環状壁２０の左右両端部（短手方向壁２０ａ）に発生したとしても、ウェルドラインＷＬを挟んで形成された一対の金具取付溝２２ａにプラグ側固定金具２８の一対の分割壁部３１ａが嵌合されるので、短手方向壁２０ａがウェルドラインＷＬから破壊されることがない。さらに本実施形態のプラグコネクタ１５は、プラグインシュレータ１６の短手方向壁２０ａが前後からプラグ側固定金具２８の長手方向外方壁３２、３３によって挟持されるので、短手方向壁２０ａがウェルドラインＷＬから破壊されるのを二重に防止している。
本実施形態のプラグコネクタ１５では、プラグコネクタ１５の環状凸部１８の下端外周部、プラグコンタクト２５の外側接触片２６ｂと内側接触片２６ａとを接続する部分、及びプラグ側固定金具２８の受け面２９と一対の分割壁部３１ａとを接続する接続壁部３１ｂがＲ形状に形成される。本実施形態のリセプタクルコネクタ３５では、リセプタクルコネクタ３５の環状壁２０の上端内周部、リセプタクルコンタクト６０の固定片６２と垂下部６４とを接続する部分、リセ側固定金具５０の短手側固定部５１と金具側弾性変形部５７とを接続する部分、及び長手側固定部５２と金具側弾性変形部５５とを接続する部分がＲ形状に形成される。従って、プラグコネクタ１５とリセプタクルコネクタ３５とを嵌合する際先ずＲ形状部同士が接触するので、嵌合が容易である。
【００５４】
以上、本発明を上記図示実施形態に基づいて説明したが、本発明は図示実施形態に限定されるものではなく、様々な変形を施しながら実施可能である。
例えば、図示実施形態のプラグ側固定金具２８とリセ側固定金具５０とは、前後方向の中間を通り上下方向に平行かつ左右方向に垂直な平面に対して対称形状としたが、対称でなくてもよい。また、左右のプラグ側固定金具２８と左右のリセ側固定金具５０とを左右同一または対称形状としたが、左右で異なる形状としてもよい。
プラグコネクタ１５及びリセプタクルコネクタ３５の一方を対応する回路基板に対して所謂ライトアングル（ＲＡ）態様で接続してもよい。
また電源（図示略）に接続する電源回路に対してプラグ側固定金具２８とリセ側固定金具５０とを接続してもよい。
さらにリジッド基板以外の回路基板（例えば、ＦＰＣ（フレキシブルプリント回路基板））をプラグコネクタ１５又はリセプタクルコネクタ３５に接続してもよい。
【００５５】
以上の実施形態では、プラグ側固定金具２８の短手方向外方壁３１が一対の分割壁部（分割壁）３１ａを有する場合を例示して説明した。しかし、プラグ側固定金具２８の短手方向内方壁３０が一対の分割壁部（分割壁）を有する態様、または、プラグ側固定金具２８の短手方向内方壁３０及び短手方向外方壁３１の双方が一対の分割壁部（分割壁）を有する態様も可能である。
プラグ側固定金具２８は、短手方向内方壁３０及び短手方向外方壁３１の少なくとも一方と、長手方向外方壁３２、３３とがプラグ側回路基板に当接する態様であれば、例えば、短手方向外方壁３１に代えて短手方向内方壁３０の先端部が天井板部１７を貫通してプラグ側回路基板に当接する態様、あるいは短手方向外方壁３１に代えて短手方向内方壁３０の両方の先端部がプラグ側回路基板に当接する態様も可能である。
プラグ側固定金具２８の一対の分割壁部（分割壁）３１ａは、例えば短手方向外方壁３１を上方に延長した一体の短手方向外方壁の態様、あるいは短手方向内方壁３０と同一形状の態様とすることも可能である。
【符号の説明】
【００５６】
１０    コネクタ
１５    プラグコネクタ
１６    プラグインシュレータ
１７    天井板部
１７ａ  有底孔
１８    環状凸部
１９    係合凹部
２０  環状壁
２０ａ  短手方向壁（左壁と右壁）
２０ｂ  長手方向壁（前壁と後壁）
２１    コンタクト取付溝
２２ａ  金具取付溝
２２ｂ  金具取付溝
２５    プラグコンタクト（群）
２６ａ  内側接触片
２６ａ１  第二プラグ側突起（プラグ側突起）
２６ｂ  外側接触片
２６ｂ１  第一プラグ側突起（プラグ側突起）
２７    テール片
２８    プラグ側固定金具
２９    受け面
３０    短手方向内方壁
３０ａ  幅広部
３０ｂ  縮幅部
３０ｃ  幅広脚部
３１    短手方向外方壁
３１ａ  分割壁部（分割壁）
３１ｂ  接続壁部
３１ｘ  金めっき部
３２  ３３  長手方向外方壁
３２ｂ  ３３ｂ  導通突起
３２ｘ  ３３ｘ  金めっき部
３２ｙ  ３３ｙ  はんだ這い上がり防止部（禁制帯）
３２ｚ  ３３ｚ  金めっき部
３５    リセプタクルコネクタ
４０    リセプタクルインシュレータ
４１    底板部
４２    外周壁
４２ａ  短手方向壁
４２ｂ  長手方向壁
４３    係合凸部
４４    嵌合凹部
４５ａ  ４５ｂ  金具固定溝
４５ｃ  収納溝
４６    コンタクト取付溝
４７    変形許容溝
５０    リセ側固定金具
５１    短手側固定部
５２    長手側固定部
５３    短手側テール片
５４    長手側テール片
５５    金具側弾性変形部
５５ａ    導通凹部
５７    金具側弾性変形部
６０    リセプタクルコンタクト（群）
６１    テール片
６２    固定片
６３    弾性接触片
６４    垂下部（第一弾性変形部）
６４ａ  第一リセ側突起（リセ側突起）
６５    延長部
６６    立上り部（第二弾性変形部）
６６ａ  第二リセ側突起（リセ側突起）
【図１】
2017022171.tif 000003
【図２】
2017022171.tif 000004
【図３】
2017022171.tif 000005
【図４】
2017022171.tif 000006
【図５】
2017022171.tif 000007
【図６】
2017022171.tif 000008
【図７】
2017022171.tif 000009
【図８】
2017022171.tif 000010
【図９】
2017022171.tif 000011
【図１０】
2017022171.tif 000012
【図１１】
2017022171.tif 000013
【図１２】
2017022171.tif 000014
【図１３】
2017022171.tif 000015
【図１４】
2017022171.tif 000016
【国際調査報告】
2017022171.tif 000017
2017022171.tif 000018